(57)【要約】【課題】卵や小麦等の食材を撹拌泡立てる時、従来は人力によって撹拌泡立てするために労力を使い面倒でもあった。【解決手段】グリップ本体の中空部に乾電池による電源を設け、該電源からリード線を介して電動機に、該電動機はスイッチによりコントロールされる、前記電動機の回転軸に固定リングを設け、該固定リングの先端部複数本の線材からなる撹拌泡立て部を設け線材の先端にリングを設ける、前記線材の均一配置を維持するために環状型線材を前期線材に接着させた。【選択図】図１
2017158992.tif 000002
【特許請求の範囲】
【請求項１】
グリップ本体の中空部上部に電源を設け、前記電源から電動機に電流のオン、オフのスイッチを設け、前記電動機の回転軸に固定リング、該固定リングの先端部から複数本の伸びた単線材、該単線材に環状型に成型された線材の環状型線材を接着し、前期単線材を各放射状にかつ周方向に均一配置された単線材の先端部に泡立て用Ｃ型を設けたことを特徴とする電動式泡立て器。
【請求項２】
前記固定リングの先端部から複数本の線材を各放射状にかつ周方向に伸び均一配置され、該単線材に環状型に成型された線材の環状型線材を接着し、前記単線材の先端部に泡立て用Ｃ型を設けたことを特徴とする電動式泡立て器。
【請求項３】
前期電動式泡立て器に於ける泡立て部単線材の先端部に泡立て用リングを設けたことを特徴とする電動式泡立て器。
【請求項４】
前期電動式泡立て器の固定リング先端部に取り外し自在な取り付け具を設け、該取り付け具の先端部から複数本の伸びた単線材の前期泡立て部、該泡立て部の先端部に泡立て用Ｃ型、又は泡立て用リングを設けたことを特徴とする請求項１，２，３の何れかの１項に記載の電動式泡立て器。
【請求項５】
前記電動式泡立て器は電源から電動機に伸びるリード線に電圧をコントロールするスイッチを設けたことを特徴とする請求項１、２、３、４の何れかの１項に記載の電動泡立て器。
【発明の詳細な説明】
【技術分野】
【０００１】  本発明は、食材の泡立て軽減に電動を利用した、電動式泡立て器に関するものである。
【背景技術】
【０００２】従来の泡立て器はグリップ本体から各放射状にかつ周方向に複数本の線材で撹拌部をもつ泡立て器、該泡立て器はグリップ本体を持って人力による撹拌で泡立てる必要があった、また交流の電気を利用した電動機で高粘度の液体等を撹拌翼で撹拌する（特許文献１）、
前記電動機によって駆動される回転軸を有し、回転軸の端部に食品を加工するための加工具が装着され加工具を囲む複数の爪部を有する保護キャップが設けられている（特許文献２）、
回転体および電動回転手段を備え撹拌軸、回転、円盤、および撹拌羽根を備える撹拌手段から構成されており、該撹拌手段が該撹拌軸の他端か、該電動回転手段に接続されるように構成されており、該撹拌手段の先端が球面状又は鐘状であり、該先端が該撹拌軸の中心線上に配置された（特許文献３）、
【先行技術文献】
【０００３】
【特許文献１】  実開平０６−０７２６２９号公報
【特許文献２】  特開２００５−０５２５１４号公報
【特許文献３】  再表２０１０−０６１４８１号公報
【発明の概要】
【発明が解決しようとする課題】
【０００４】従来の泡立て器には、次のような欠点があった、グリップ本体から複数本の各放射状に伸びる周方向に設けた撹拌部から成る泡あて器、該泡立て器を人力によって撹拌し泡立てするのは大変で疲れる、また交流電動機を用いた電動式撹拌機は交流を電源としているために電気コードを必要とし取扱いには不便である、従来のナス型泡立て器や撹拌翼を持つ撹拌機は撹拌泡立て時に撹拌物が飛散しやすく注意が必要である、又、飛散を避けるために撹拌機の取り扱いが大大変である。
本発明は以上の問題を解決するために発明されたものである。
【課題を解決するための手段】
【０００５】  本発明に係る電動式泡立て器はグリップ本体の中空部上部に乾電池の電源を設け、前記電源から電動機に伸びるリード線に電流のオン、オフのスイッチを設け、前記電動機の回転軸に固定リング設ける、該固定リングの先端部から複数本が周方向に均一配置され伸びたステンレス単線材を、該単線材に環状型に成型された線材の環状型線材を接着し、前記単線材が各放射状にかつ周方向に均一配置された泡立て部単線材の先端部に泡立て用Ｃ型を設けたことを特徴とする電動泡立て器。【０００６】  前記固定リングの先端部から複数本のステンレス単線材を各放射状に伸びかつ周方向に均一配置された撹拌泡立て部の単線材に環状型に成型された線材の環状型線材を接着し、前記撹拌泡立て部単線材の先端に泡立て用Ｃ型を設けたことを特徴とする電動式泡立て器。【０００７】  前期電動式泡立て器の泡立て部単線材の先端部に泡立て用リングを設けたことを特徴とする電動式泡立て器。【０００８】  前期電動式泡立て器の固定リング先端部に取り外し自在な取り付け具を設け、該取り付け具の先端部から複数本の伸びた単線材の前期泡立て部、該泡立て部の先端部に泡立て用Ｃ型、又は泡立て用リングを設けたことを特徴とする電動式泡立て器。【０００９】  前記電動式泡立て器は電源から電動機に伸びるリード線に電圧をコントロールするスイッチを設けたことを特徴とする電動式泡立て器。【００１０】  前期電動式泡立て器は、電動機による回転動遠心力によって撹拌泡立て部線材の乱れを環状形に成形された線材の環状型線材によって均一に配置されている。
【発明の効果】
【００１１】  本発明は、卵、小麦、ドリンク等の食材を泡立て軽減と食材の飛散の減少することを目的としており、本発明の電動式泡立て器を使用することにより、卵、小麦等の食材の撹拌泡立てをする労力の軽減につながり、乾電池を電源としているため電気コードを必要としないので持ち運びや取扱いが簡単である、また、従来は回転翼の回転撹拌のために泡立てより食材の混合が主である、本発明はＣ型、又はリングの中空部を食材と空気が通過することにより空気と食材が混ざり合い細かい泡をたてることができる、撹拌泡立て時食材の飛散が無く作業がしやすい、環状型線材によって撹拌によるＣ型、又はリングの乱れを防ぎＣ型、又はリングは乱れなく均一に配置されている、固定リングから取り外し自在な取り付け具により泡立て部の取り外し可能になり泡立て部の洗浄が容易に出来る。
【図面の簡単な説明】
【００１２】
【図１】  本発明の電動式泡立て器斜視図
【図２】  本発明の環状型線材に接着後各放射単線材の電動式泡立て器斜視図
【図３】  本発明の各放射状後の単線材に環状型線材接着の電動式泡立て器斜視図
【図４】  本発明の泡立て用リング環状型線材に接着後各放射単線材の電動式泡立て器斜視図
【図５】  本発明の泡立て用リング各放射状後の単線材に環状形線材接着の電動式泡立て器斜視図
【発明の実施するための形態】
【００１３】  図２は、グリップ本体１の中空部１１上部に電源２を設け、該電源２は乾電池を使用、該電源２から電動機３へ伸びるリード線６に電流のオン、オフのスイッチ１３を設け、前記電動機３の回転軸４に固定リング５を設ける、該固定リング５の先端部７から複数本が周方向に均一配置伸びたステンレス単線材８、該単線材８を環状型線材９に成型された線材８の環状型線材９を接着し、前記単線材８を各放射状にかつ周方向に均一配置された泡立て部１２、該単線材８の先端部に泡立て用Ｃ型１０を設け、前記単線材８は直径１．６ｍｍ−２．６ｍｍが必要であるが直径１．６ｍｍが好ましい。
【００１４】  図３は、前期固定リング５の先端部７から複数本ステンレス単線材８を各放射状に伸びかつ周方向に均一配置された撹拌泡立て部１２に環状型９に成型した線材の環状型線材９を接着し、前期撹拌泡立て部１２、単線材９の先端に泡立て用Ｃ型１０を設けた、該Ｃ型１０は０．４ｃｍ―１．５ｃｍの内径が必要、０．８ｃｍ  の内径が好ましい、前期環状型線材９は直径０．３ｍｍ−０．７ｍｍの太さが必要、直径０．４ｍｍが好ましい。
【００１５】  図４は、前期固定リング５先端部７から複数本が周方向に均一配置した単線材８に、環状型９に成型された線材の環状形線材９を前期単線材８に接着後各放射状に伸びた撹拌泡立て部１２単線材８に泡立て用リング１６を設けたことを特徴とする。
【００１６】  図５は、前期固定リング５先端部７から複数本の単線材８を各放射状に伸びかつ周方向に均一配置された撹拌泡立て部１２単線材８に環状型９に成型された線材の環状型線材９を前期単線材８に接着し、前期線材８に泡立て用リング１６を設けたことを特徴とする。
【００１７】  前期固定リング５先端部７に取り外し自在な取り付け具１７を設け、該取り付け具１７の先端部１８から複数本の伸びた単線材８の前期撹拌泡立て部１２、該撹拌泡立て部１２単線材先端部に泡立て用Ｃ型１０、又は泡立て用リング１６を設けた、前期泡立て用Ｃ型１０、泡立て用リング１６は２本―１２本必要とし、食材の内容によって任意に本数を設定する、コーヒー、抹茶、ココア等は３本と、卵白等は８本が好ましい。
【００１８】  前期電源２から電動機３へ伸びるリード線６に電圧３Ｖ―７．５Ｖと電圧をコントロールするスイッチ１４を設ける、食材の内容や食材の量が少量や多量等によって撹拌泡立てするため前期電圧は４．５Ｖ、又は６Ｖが好ましい。
【００１９】  前期電源は乾電池式が好ましいが、充電式（バッテリー）を備えても良い。
本発明は以上の構成によりなる。
【符号の説明】
【００２０】１    グリップ本体
２    電源
３    電動機
４    回転軸
５    固定リング
６      リード線
７    先端部
８    線材
９    環状型線材
１０  泡立て用Ｃ型
１１  中空部
１２  撹拌泡立て部
１３  スイッチ
１４  電圧コントロールスイッチ
１５  中空部
１６  泡立て用リング
１７  取り付け具
１８  先端部
２０  電動式泡立て器
２１  泡立て用Ｃ型電動式泡立て器
２２  泡立て用Ｃ型電動式泡立て器
２３  泡立て用リング電動式泡立て器
２４  泡立て用リング電動式泡立て器
【図１】
2017158992.tif 000003
【図２】
2017158992.tif 000004
【図３】
2017158992.tif 000005
【図４】
2017158992.tif 000006
【図５】
2017158992.tif 000007